(57)【特許請求の範囲】
【請求項１】
構造物に対して支持手段を固設し、
導体がハウジングで被覆され、前記構造物に略垂直方向に布設されるバスダクトを、前記支持手段で支持するバスダクト支持装置であって、
所定高さの前記支持手段を前記バスダクトの周囲近傍の一箇所に配設し、
前記支持手段の前記バスダクトに固定される固定具を、
前記ハウジングの一方の補強部の外面に接して前記一方側の外面を被覆する基金具と、
前記基金具と固定状態となり、平面視に於いて前記一方の補強部以外の前記ハウジングの各外面に接して前記一方側以外の各外面を被覆する被覆金具とから構成することを特徴とするバスダクト支持装置。
【請求項２】
構造物に対して支持手段を固設し、
前記構造物に略垂直方向に布設されるバスダクトを前記支持手段で支持するバスダクト支持装置であって、
所定高さの前記支持手段を前記バスダクトの周囲近傍の複数箇所に配設し、
前記バスダクトの平面視に於いて前記複数箇所が、前記バスダクトの平面視の中心に対して偏倚していることを特徴とするバスダクト支持装置。
【請求項３】
構造物に対して支持手段を固設し、
前記構造物に略垂直方向に布設されるバスダクトを前記支持手段で支持するバスダクト支持装置であって、
所定高さの前記支持手段を前記バスダクトの周囲近傍の一箇所に配設すると共に、
前記支持手段を前記バスダクトの長手方向に複数配設し、
前記バスダクトの平面視で相違する位置に設けられる第１の支持手段と前記第１の支持手段の一つ上の第２の支持手段とを有することを特徴とするバスダクト支持装置。
【請求項４】
構造物に対して支持手段を固設し、
前記構造物に略垂直方向に布設されるバスダクトを前記支持手段で支持するバスダクト支持装置であって、
所定高さの前記支持手段を前記バスダクトの周囲近傍の複数箇所に配設すると共に、
前記複数箇所の支持手段を前記バスダクトの長手方向に複数組配設し、
前記バスダクトの平面視で相違する位置に設けられる第１の組内の支持手段と前記第１の組の１つ上の第２の組内の支持手段とを有することを特徴とするバスダクト支持装置。
【請求項５】
所定高さの支持手段の配置と前記支持手段の一つ上の支持手段の配置とが、
前記バスダクトの平面視で前記バスダクトの中心点に対して対称になっていることを特徴とする請求項３又は４記載のバスダクト支持装置。
【請求項６】
所定高さの隣り合う前記バスダクト相互間にいずれか一方のバスダクトを支持する前記支持手段を一つだけ設け、
前記バスダクト相互間以外の前記バスダクトの周囲近傍箇所に他方のバスダクトを支持する別の前記支持手段を設け、
構造物に略垂直方向に複数系統布設されるバスダクトを支持する請求項１〜５の何れかに記載のバスダクト支持装置。
【請求項７】
隣り合うバスダクト相互間に前記支持手段を設けずに、
構造物に略垂直方向に複数系統布設されるバスダクトを支持する請求項１〜５の何れかに記載のバスダクト支持装置。
【発明の詳細な説明】
【０００１】
【発明の属する技術分野】
本発明は、高層ビル等の構造物で電気幹線路を構成するバスダクトに係り、垂直方向に設けられるバスダクトを支持するバスダクト支持装置に関する。
【０００２】
【従来の技術】
高層ビル等に垂直方向に布設されるバスダクトの支持装置に関する従来技術として、特公昭５９−２６８２２号と実開昭６１−１１４９２５号に開示されている垂直バスダクトの床支持装置がある。
【０００３】
特公昭５９−２６８２２号の垂直バスダクトの床支持装置は、垂直バスダクトの荷重を張力調節可能の弾性部材を介して上下案内棒に受けさせ、その案内棒を張力調節可能の弾性材ブロックを介して床上の固定受枠に支持させ、その弾性材ブロックの受枠に対する当り面の広さを案内棒の断面積に比べて少なくとも数倍大きくした支持機構を建物の各階層床上に設けて垂直バスダクトの荷重を分割支持させ、その各階層の支持機構のバスダクトの垂直荷重を受ける弾性部材並びにその垂直荷重受案内棒の荷重を受ける弾性部材ブロックの弾性張力を調節し、バスダクトの荷重支持、収縮・振動の吸収等の機能を各階層毎に調節可能にしたものである。
【０００４】
また、実開昭６１−１１４９２５号の垂直バスダクトの床支持装置は、垂直バスダクトのフランジ部の外面に固定金具を取り付け、その固定金具を支持部材を介して床に支持させてなる垂直バスダクト床支持装置において、上記垂直バスダクトのフランジ部を、そのフランジ部の縁を跨ぎ、基部側が上記固定金具に締付け固定され、先端側が上記フランジ部の内面に押し当てられるクランプ片によって、上記固定金具に固定したものである。
【０００５】
【発明が解決しようとする課題】
ところが、特公昭５９−２６８２２号の弾性部材・スプリング受・案内棒・弾性材ブロック・ブロック受板・受枠等や、実開昭６１−１１４９２５号のスプリング・スプリング受座・支持ボルト・基礎部材等からなるバスダクトを支持する支持手段は、バスダクトの両側面や両フランジ部の外方に突出して配置されるため、垂直バスダクトを支持するために必要な空間が広範囲になるという不具合がある。
【０００６】
更に、複数系統並列して配置されるバスダクトを上記従来の床支持装置で支持する場合には、一つのバスダクトを支持する支持手段と前記バスダクトと隣り合うバスダクトを支持する支持手段とが前記バスダクト相互間にそれぞれ突出して配置されるため、バスダクト相互間の布設間隔を長くして広い空間を確保する必要があり、より無駄な空間が生ずるという不具合がある。
【０００７】
また、高層ビル等は、各階毎に異なるレイアウトであったり、異なる箇所に設備が配置され固定されていることが多く、例えば、ある階ではバスダクトの両側面や両フランジ部の外方への支持手段の配置及び取り付けを容易に行える場合であっても、他の階では前記設備などが邪魔になってバスダクトの両側面や両フランジ部の外方への支持手段の配置及び取り付けを行うことが困難な場合があり、かような困難な場合であっても施工者が多大な労力を費やして支持手段を配置して取り付ける必要があるという不具合がある。
【０００８】
本発明は、上記不具合を解消するために提案するものであって、高層ビル等の構造物で垂直方向に布設されるバスダクトの支持空間を省スペース化することができると共に、容易に施工することができるバスダクト支持装置を提供することを目的とする。
【０００９】
【課題を解決するための手段】
本発明のバスダクト支持装置は、構造物に対して支持手段を固設し、該構造物に略垂直方向に布設されるバスダクトを該支持手段で支持するバスダクト支持装置であって、所定高さの該支持手段を該バスダクトの周囲近傍の一箇所に配設することを特徴とする。例えば平面視に於いて略方形のバスダクトの場合等に、支持手段をバスダクトの一側箇所に配設する。尚、本発明に於ける支持手段には、例えば後述の実施例に示すような固定具を有する支持部、固定具を有しない支持部、一若しくは複数の支持部等の概念が含まれる。又、本発明に於ける所定高さには、支持手段が配設される全ての高さ、或いは支持手段が配設される全ての高さの中の一若しくは複数の特定の高さ等の概念が含まれる。また、本発明のバスダクト支持装置は、構造物に対して支持手段を固設し、導体がハウジングで被覆され、前記構造物に略垂直方向に布設されるバスダクトを、前記支持手段で支持するバスダクト支持装置であって、所定高さの前記支持手段を前記バスダクトの周囲近傍の一箇所に配設し、前記支持手段の前記バスダクトに固定される固定具を、前記ハウジングの一方の補強部の外面に接して前記一方側の外面を被覆する基金具と、前記基金具と固定状態となり、平面視に於いて前記一方の補強部以外の前記ハウジングの各外面に接して前記一方側以外の各外面を被覆する被覆金具とから構成することを特徴とする。
【００１０】
また、本発明のバスダクト支持装置は、構造物に対して支持手段を固設し、前記構造物に略垂直方向に布設されるバスダクトを前記支持手段で支持するバスダクト支持装置であって、所定高さの前記支持手段を前記バスダクトの周囲近傍の複数箇所に配設し、前記バスダクトの平面視に於いて前記複数箇所が、前記バスダクトの平面視の中心に対して偏倚していることを特徴とする。例えば平面視に於いて略方形のバスダクトの場合等に、平面視のバスダクトの中心点に対して非対称となる位置の二側箇所（例えば隣接する二側箇所）に支持手段を配設する。尚、前記複数箇所には二箇所以上の箇所が含まれる。
【００１１】
また、本発明のバスダクト支持装置は、構造物に対して支持手段を固設し、前記構造物に略垂直方向に布設されるバスダクトを前記支持手段で支持するバスダクト支持装置であって、所定高さの前記支持手段を前記バスダクトの周囲近傍の一箇所に配設すると共に、前記支持手段を前記バスダクトの長手方向に複数配設し、前記バスダクトの平面視で相違する位置に設けられる第１の支持手段と前記第１の支持手段の一つ上の第２の支持手段とを有することを特徴とする。例えば平面視に於いて略方形のバスダクトの場合等に、上側の支持手段と下側の支持手段を異なる側箇所に配設する。具体例としては、ビル等の各階毎にバスダクトの一側箇所に支持手段を配設し、任意階の支持手段と前記任意階の一つ上階の支持手段とを異なる側箇所に配設してバスダクトを支持する。好ましくは平面視のバスダクトの中心点に対して対称位置に任意階とその一つ上階の支持手段を配設し、或いは階数の上昇若しくは下降に応じ、前記中心点に対して順次所定角度を付けて配設位置を螺旋状に変化させ、全体として万遍なく全ての側箇所に配設するとよい。
【００１２】
また、本発明のバスダクト支持装置は、構造物に対して支持手段を固設し、前記構造物に略垂直方向に布設されるバスダクトを前記支持手段で支持するバスダクト支持装置であって、所定高さの前記支持手段を前記バスダクトの周囲近傍の複数箇所に配設すると共に、前記複数箇所の支持手段を前記バスダクトの長手方向に複数組配設し、前記バスダクトの平面視で相違する位置に設けられる第１の組内の支持手段と前記第１の組の１つ上の第２の組内の支持手段とを有することを特徴とする。例えば平面視に於いて略方形のバスダクトの場合等に、平面視のバスダクトの中心点に対して非対称となる位置の二側箇所（例えば隣接する二側箇所）に支持手段を配設し、上側の組と下側の組とで少なくとも一つの支持手段を異なる側箇所に配設する。上側の組内の二つ以上若しくは全ての支持手段と下側の組の二つ以上若しくは全ての支持手段を異なる箇所に配設してもよい。具体例としては、ビル等の各階毎にバスダクトの中心点に対して非対称位置の二側箇所に配置される支持手段の組を設け、任意階の組と任意階の一つ上階の組とで少なくとも一つの支持手段を異なる側箇所に配設してバスダクトを支持する。好ましくは平面視のバスダクトの中心点に対して対称位置に任意階の組とその一つ上階の組を配設し、或いは階数の上昇若しくは下降に応じ、前記中心点に対して順次所定角度を付けて配設位置を螺旋状に変化させ、全体として万遍なく全ての側箇所に配設するとよい。
【００１３】
また、本発明のバスダクト支持装置は、所定高さの支持手段の配置と前記支持手段の一つ上の支持手段の配置とが、前記バスダクトの平面視で前記バスダクトの中心点に対して対称になっていることを特徴とする。上下に配置される二つの支持手段或いは二組の支持手段に於いて、上側の支持手段の配置と下側の支持手段の配置をバスダクトの平面視で該バスダクトの中心点に対して対称にする。
【００１４】
また、本発明のバスダクト支持装置は、所定高さの隣り合う前記バスダクト相互間にいずれか一方のバスダクトを支持する前記支持手段を一つだけ設け、前記バスダクト相互間以外の前記バスダクトの周囲近傍箇所に他方のバスダクトを支持する別の前記支持手段を設け、構造物に略垂直方向に複数系統布設されるバスダクトを支持することを特徴とする。また、本発明のバスダクト支持装置は、隣り合うバスダクト相互間に前記支持手段を設けずに、構造物に略垂直方向に複数系統布設されるバスダクトを支持することを特徴とする。隣り合うバスダクト相互間に支持手段を１以下の状態で配設する。
【００１５】
【作用】
本発明のバスダクト支持装置は、支持手段をバスダクトの周囲近傍の一箇所に配置することにより、支持手段の配置及び固定が一箇所で済んで施工性を向上することができると共に、バスダクトの支持に必要な空間を狭くすることが可能となり、スペースの有効活用に資する。
【００１６】
また、本発明のバスダクト支持装置は、バスダクトの平面視に於いてバスダクトの周囲近傍の偏倚する複数箇所に支持手段を配設することにより、例えば施工が困難な側箇所が存在する場合にも、この側箇所を除く他の二側箇所など複数箇所に支持手段を配設及び固定することが可能であり、施工性を向上することができる。
【００１７】
また、本発明のバスダクト支持装置は、バスダクトの平面視で相違する位置に第１の支持手段と第１の支持手段の一つ上の第２の支持手段を設けることで、或いはバスダクトの平面視で相違する位置に設けられる第１の組内の支持手段と第１の組の一つ上の第２の組内の支持手段を有することで、バスダクトの確実な支持を可能とし、長期にわたって安定した電気幹線路を形成することができる。更には、所定高さの支持手段の配置と前記支持手段の一つ上の支持手段の配置とをバスダクトの平面視でバスダクトの中心点に対して対称とすると、より確実なバスダクトの支持が可能となり、形成された電気幹線路の耐久性、安定性を向上することができる。
【００１８】
また、本発明のバスダクト支持装置で略垂直方向に複数系統並設された各バスダクトを支持する場合に、隣り合うバスダクト相互間に配設する支持手段を一つだけ、或いは隣り合うバスダクト相互間に支持手段を設けないことにより、バスダクト相互間の空間を狭くすることが可能となり、バスダクト布設空間の省スペース化が実現でき、スペースの有効活用に資する。
【００１９】
【発明の実施の形態】
次に、本発明のバスダクト支持装置の実施例を図面に沿って説明するが、本発明はかかる実施例に限定されるものではない。図１から図５までは本発明の第１実施例を示し、図１は第１実施例のバスダクト支持装置を使用してバスダクトを支持している状態を示す正面図、図２は図１の左側面図、図３は図１の平面説明図、図４はバスダクトの側箇所を示す平面説明図、図５はバスダクトと支持手段の配置関係例を示す平面説明図である。
【００２０】
前提として、各実施例で支持されるバスダクト３０は、複数相からなる絶縁処理された導体３１をハウジングで被覆してなるものであり、例えば第１実施例のバスダクト３０は、図１乃至図３に示すように、３線からなる絶縁被覆された導体３１が隣接して並設され、導体３１の幅方向の前後に、バスダクト３０の側板３３・３３間に介在する断面ロ字形のスペーサ３２が配設され、導体３１及びスペーサ３２を両外側から側板３３・３３で挟持し、ボルト３４及びナット３５で締着して固定されている。側板３３は、平らな基面３３１の両端縁から外方に略９０度に屈曲して延設された第１補強部３３２と、第１補強部３３２の外側端縁から互いに向き合うように略９０度に屈曲して延設された第２補強部３３３を有し、バスダクト３０の強度が保持されている。バスダクト３０は、ビル等の各階の床面４０を貫通して垂直方向に布設され、オフィスビル等の下方階から上方階まで電気幹線路を形成する。
【００２１】
そして、第１実施例のバスダクト支持装置は、図１乃至図３に示すように、垂直方向に布設されたバスダクト３０を支持するものであって、バスダクト３０に固定されている固定具１０と、構造物に対して固定され、固定具１０を介してバスダクト３０に接続される支持部２０とを備えており、支持部２０は左側の側箇所に配設されている。
【００２２】
固定具１０は、バスダクト３０の一方の第２補強部３３３の外面に接する基金具１１と、この基金具１１と固定状態となり、平面視に於いて前記一方の第２補強部３３３以外のバスダクト３０の各外面に覆うように接する被覆金具１２とを有する。
【００２３】
基金具１１は、正面視で断面略Ｌ字形の形状であり、前記一方の第２補強部３３３の外面に接し、締着具であるボルトを挿通可能な挿通孔が四隅近傍に八箇所設けられた平面視略方形の基面１１１と、基面１１１の下端縁から外方に屈曲して延設され、図に省略した２つの挿通孔が形成され、前記挿通孔に後述する案内棒を挿通して支持部２０と接続される支持片１１２と、バスダクト３０の第２補強部３３３の内面に接して配設される屈曲した４つの挟持金具１１３とを有し、基面１１１の四箇所のボルト挿通孔に挿通されるボルト１１４及びナット１１５を締め付け、基面１１１の内面と挟持金具１１３の外面との間に配置される第２補強部３３３を挟持し、第２補強部３３３に固定される。
【００２４】
被覆金具１２は、バスダクト３０の幅方向両側の第１補強部３３２の外面及びスペーサ３２の外面と接する被覆側面１２１と、被覆側面１２１の他方の端縁から略９０度で屈曲して一体形成され、前記端縁間に架設され他方の第２補強部３３３の外面に接する架橋面１２２と、被覆側面１２１の一方の端縁を互いに離反するように略９０度で屈曲して延設され、基金具１１の基面１１１の内面と接して配設される固定片１２３とを有し、平面視で断面略コ字形の両端縁を互いに略９０度で外方に屈曲して延設した形状になっている。
【００２５】
前記被覆金具１２の固定片１２３には図に省略したボルト挿通孔が形成されており、前記ボルト挿通孔と基金具１１の基面１１１の挟持金具１１３用のボルト挿通孔より外方に形成されたボルト挿通孔に挿通されるボルト１２４及びナット１２５を締め付け、基面１１１と架橋面１２２間で一方と他方の第２補強部３３３・３３３を外方から挟持することにより、一方の第２補強部３３３が基金具１１の基面１１１により、他方の第２補強部３３３が被覆金具１２の架橋面１２２により、両側の第１補強部３３２及びスペーサ３２が被覆側面１２１により被覆され、平面視でバスダクト３０の前後左右の４方向が全て被覆されて、バスダクト３０と固定具１０とが強固に固定される構成である。
【００２６】
また、支持部２０は、床面４０を貫通するバスダクト３０の貫通孔近傍に配設され、床面４０に固定されている断面略コ字形のチャンネル部材である基台２１に設けられるものであり、ネジ溝が螺刻された上下方向に延びる長尺のボルトであって、ボルト頭部を上にして支持片１１２の挿通孔に挿通されていると共に、基台２１の上面の挿通孔に挿通され、前記ボルトに螺合されている２つのナット２３・２３を基台２１の上面を挟持するように緊締することにより前記上面に固定されている二本の案内棒２２と、前記上面及びナット２３の上方に位置し、案内棒２２が挿通されて案内棒２２の周囲に設けられ、案内棒２２に螺合して配設された位置決め用のナット２４及びナット２４の下方に配設された回り止め用のナット２５の上に設けられて所定高さにその下端が位置決めされている弾性材である２つのコイル状のバネ材２６を有し、案内棒２２のボルト頭部とバネ材２６の頂部との間に固定具１０の支持片１１２が位置し、バネ材２６の頂部で支持片１１２を上方に付勢する構成である。
【００２７】
固定具１０の基金具１１の支持片１１２をバネ材２６で支持することにより、固定具１０と固定状態になっているバスダクト３０が弾性材であるバネ材２６で支持される。前記支持状態に於いては、バスダクト３０の第１補強部３３２及び第２補強部３３３の外面に沿って固定具１０の基金具１１の基面１１１、被覆金具１２の被覆側面１２１、架橋面１２２が配設され、支持片１１２の挿通孔に案内棒２２が貫通されているので、バスダクト３０の水平方向への移動が規制される。尚、本実施例では、バスダクト３０の上端部を固定することにより、バスダクト３０の通電時の伸びをバネ材２６の収縮及び支持片１１２の下降で吸収して下方に逃がす構成としたが、例えば案内棒２２のボルト頭部を支持片１１２の上面より一定距離上方に位置し、バスダクト３０の通電時の伸びを上方に逃がす構成や、案内棒２２の上端を支持片１１２に固定する構成など、固定具１０及び支持部２０の構成は適宜である。
【００２８】
上記構成に於いて支持部２０及び固定具１０の基金具１１の支持片１１２は、左側の側箇所に配設されているが、本発明に於ける側箇所は、例えば図４に示すバスダクト３０の平面視の略矩形形状に対して、左側のＡ側箇所、後側のＢ側箇所、右側のＣ側箇所、前側のＤ側箇所の前後左右の四方向に対応する四箇所等であり、本実施例では図４のＡ側箇所に支持部２０及び支持片１１２を配設して支持する場合について説明したが（図５（ａ）参照）、Ｂ側箇所（図５（ｂ）参照）、Ｃ側箇所（図５（ｃ）参照）、Ｄ側箇所（図５（ｄ）参照）の何れの側箇所であってもよく、後述する各実施例についても同様である。更には、バスダクト３０の平面視が略矩形以外の多角形の各側箇所や円形の場合の周囲など、バスダクトの周囲近傍に支持部２０等の支持手段を設ける構成が本発明に包含される。
【００２９】
上記本発明の第１実施例のバスダクト支持装置を使用することにより、支持部２０や固定具１０の配置及び固定が一箇所で済むため施工性を向上することができると共に、バスダクト３０の支持に必要な空間を狭くすることができ、スペースの有効活用を図ることが可能となる。
【００３０】
次に、本発明の第２実施例のバスダクト支持装置について、第１実施例と異なる箇所を中心に説明する。第２実施例のバスダクト支持装置は、平面視のバスダクト３０の中心に対して偏倚する二側箇所（本実施例では隣接する二側箇所）に支持部２０等の支持手段を配設する構成であり、図６から図８までは本発明の第２実施例を示し、図６はバスダクト支持装置を使用してバスダクトを支持している状態を示す正面図、図７は図６の平面説明図、図８はバスダクトと支持手段の配置関係例を示す平面説明図である。
【００３１】
第２実施例のバスダクト支持装置に於いて、図６及び図７に示すように、Ａ側箇所に配設される支持部２０は第１実施例と同一構成であるが、固定具１０については被覆金具１２を無くし、且つ基金具１１の形状を異ならせている。前記基金具１１は、第１実施例と同様に基面１１１、支持片１１２、基面１１１にボルト１１４及びナット１１５で取り付けられた挟持金具１１３を有すると共に、基面１１１の平面視前後方向の両側端縁に、バスダクト３０の第１補強部３３２に接するように、前記側端縁から略９０度で屈曲して延設されている屈曲片１１６を有する。前記屈曲片１１６を有することにより、被覆金具１２が無くとも、バスダクト３０の幅方向への移動を強固に規制することが可能となる。
【００３２】
更に第２実施例のバスダクト支持装置では、前記Ｄ側箇所にも別途の支持手段を有する。前記Ｄ側箇所には側面視で断面略Ｌ字形の別の固定具１０が設けられており、前記固定具１０は、前記Ｄ側箇所に配設された支持部２０で支持されている。前記固定具１０は、バスダクト３０のボルト挿通孔を有する第１補強部３３２の外面に接し、ボルト挿通孔が左右に２箇所設けられた平面視略方形の基面１１１と、基面１１１の下端縁から外方に屈曲して延設され、形成された一つの挿通孔に案内棒２２を挿通して支持部２０と接続される支持片１１２を有し、基面１１１と第１補強部３３２のボルト挿通孔に挿通されるボルト１１４及びナット１１５を締め付け、バスダクト３０の第２補強部３３３に固定されている。又前記固定具１０を支持する前記支持部２０の構成は、案内棒２２及びバネ材２６の数を１個にした以外は第１実施例或いはＡ側箇所の支持部２０と同様であり、Ａ側箇所に有する基台２１とＤ側箇所に有する基台２１とが、干渉しないように配置されている。
【００３３】
また、本実施例では図４のＡ側箇所及びＤ側箇所に支持部２０及び支持片１１２を配設して支持する場合について説明したが（図８（ａ）参照）、Ａ側箇所及びＢ側箇所（図８（ｂ）参照）、Ｂ側箇所及びＣ側箇所（図８（ｃ）参照）、Ｃ側箇所及びＤ側箇所（図８（ｄ）参照）の何れの２つの側箇所でもよく、後述する各実施例についても同様である。更には、バスダクト３０の平面視が略矩形以外の多角形の各側箇所や円形の場合の周囲など、バスダクトの周囲近傍である平面視で偏倚している複数箇所に支持部２０等の支持手段を設ける構成が本発明に包含される。
【００３４】
上記本発明の第２実施例のバスダクト支持装置を使用し、例えば施工性が困難な側箇所が存在する場合にも、この側箇所を除く他の隣接する二側箇所に支持部２０等を配設して、バスダクト３０を支持することが可能であり、施工性を向上することができる。
【００３５】
次に、本発明の第３実施例のバスダクト支持装置として、高層ビル等にバスダクト３０を垂直布設する場合に、第１実施例で使用した支持部２０及び固定具１０をバスダクト３０の長さ方向に複数配設して支持する実施例を説明する。図９は第３実施例のバスダクト支持装置を示し、任意階の支持手段とその一つ上の上階に於ける支持手段の配設位置の例を示す平面説明図である。
【００３６】
本実施例では、図９（ａ）に示すように、図４のＡ側箇所に任意階で支持部２０及び固定具１０を配設する場合に、その一つ上の上階では支持部２０及び固定具１０をＢ側箇所（図９（ｂ）参照）、Ｃ側箇所（図９（ｃ）参照）或いはＤ側箇所（図９（ｄ）参照）に配設している。 即ち、任意階とその一つ上の上階とで支持部２０及び固定具１０の配置位置を相違させる構成で、かかる位置を相違する構成で各階毎に支持部２０等の支持手段を配設し、高層ビル等に布設したバスダクト３０を支持する。
【００３７】
好ましくは、任意階でＡ側箇所に支持部２０等を配設する場合には、任意階の一つ上の上階ではＣ側箇所のように、平面視でＡ側箇所とバスダクト３０の中心点に対して対称な位置に支持部２０等を配設する、或いは全ての階に関して万遍なく支持部２０等を配設するとよく、例えば下階から順次上階に行くに従い、Ａ→Ｃ→Ａの順、Ｂ→Ｄ→Ｂの順など点対称位置に配設する、或いは下階から順次上階に行くに従い、Ａ→Ｃ→Ｂ→Ｄ→Ａの順、Ａ→Ｂ→Ｃ→Ｄ→Ａの順などに万遍なく支持部２０等を配設すると、一方の側箇所のみに支持力が加わり、バスダクト３０が変形する等の不具合を未然に防止することが可能となる。
【００３８】
上記本発明の第３実施例のバスダクト支持装置を使用することにより、高層ビル等に垂直布設されるバスダクト３０を確実に支持し、長期にわたって安定した電気幹線路を形成することが可能となる。好適には、任意階と任意階の一つ上の上階とで支持部２０等の支持手段をバスダクト３０の中心点に対して対称な位置に配設する或いは全ての階に関して万遍なく支持手段を配設するとよく、高層ビル等に垂直布設されるバスダクト３０をより確実に支持することが可能となり、長期にわたって安定した電気幹線路を形成することができる。
【００３９】
次に、本発明の第４実施例のバスダクト支持装置として、高層ビル等にバスダクト３０を垂直布設する場合に、第２実施例で使用した支持部２０及び固定具１０をバスダクト長さ方向に複数配設して支持する実施例について説明する。図１０は第４実施例のバスダクト支持装置を示し、任意階の支持手段とその一つ上の上階に於ける支持手段の配設位置の例を示す平面説明図である。
【００４０】
本実施例では、図１０（ａ）に示すように、図４のＡ側箇所及びＤ側箇所に任意階で支持部２０及び固定具１０を配設する場合に、その一つ上の上階では支持部２０及び固定具１０をＡ側箇所及びＢ側箇所（図１０（ｂ）参照）、Ｂ側箇所及びＣ側箇所（図１０（ｃ）参照）、或いはＣ側箇所及びＤ側箇所（図１０（ｄ）参照）に配設している。即ち、任意階とその一つ上の上階とで、二つの支持部２０及び固定具１０の内の少なくとも一つの配置位置を相違させる構成であり、かかる位置を相違する構成で各階毎に支持部２０等の支持手段を配設し、高層ビル等に布設したバスダクト３０を支持する。
【００４１】
好ましくは、任意階でＡ側箇所及びＤ側箇所に支持部２０等を配設する場合には、任意階の一つ上の上階ではＢ側箇所及びＣ側箇所のように、平面視でＡ側箇所及びＤ側箇所とバスダクト３０の中心点に対して対称な位置に支持部２０等を配設する、或いは全ての階に関して万遍なく支持部２０等を配設するとよく、例えば下階から順次上階に行くに従い、ＡとＤ→ＢとＣ→ＡとＤの順など点対称位置に配設する、或いは下階から順次上階に行くに従い、ＡとＤ→ＢとＣ→ＡとＢ→ＣとＤ→ＡとＤの順、順番に排泄するＡとＤ→ＡとＢ→ＢとＣ→ＣとＤ→ＡとＤの順等で万遍なく支持部２０等を配設すると、一定方向のみに支持力が加わりバスダクト３０が変形する等の不具合を未然に防止することが可能となる。
【００４２】
上記本発明の第４実施例のバスダクト支持装置を使用することにより、第３実施例同様にバスダクト３０を確実に支持し、長期にわたって安定した電気幹線路を形成することが可能となる。好適には、任意階とその一つ上の上階とで平面視のバスダクト３０の中心点に対して対称な位置に支持部２０等を配設する、或いは全ての階に関して万遍なく支持部２０等を配設すると、より確実にバスダクト３０を支持することが可能となり、長期にわたって安定した電気幹線路を形成することができる。
【００４３】
次に、本発明の第５実施例のバスダクト支持装置として、第１実施例で使用した支持部２０及び固定具１０を使用し、二系統など複数系統並列して垂直布設されるバスダクトを支持する実施例について説明する。図１１から図１８までは第５実施例のバスダクト支持装置を示しており、図１１は第５実施例のバスダクト支持装置を使用してバスダクトを支持している状態を示す正面図、図１２は図１１の平面説明図、図１３は２系統のバスダクトの側箇所を示す平面説明図、図１４〜図１８はバスダクトと支持手段の配置関係例を示す平面説明図である。
【００４４】
本実施例の支持部２０及び固定具１０は、第１実施例の支持部２０及び固定具１０と同一構成であり、図１１及び図１２に示すように、隣り合うバスダクト３０・３０相互間に他方のバスダクト３０を支持する支持部２０及び固定具１０が配設され、一方のバスダクト３０を支持する支持部２０及び固定具１０が前記一方のバスダクト３０の外方に配設され、隣り合うバスダクト３０・３０相互間には支持部２０及び固定具１０或いは支持手段が一つだけ配設されている。
【００４５】
尚、本実施例の支持部２０等の支持手段の配設位置は、図１３に示す一方のバスダクト３０の支持手段をＡ側箇所に配設し、他方のバスダクト３０の支持手段をバスダクト３０・３０相互間のＣ側箇所に配設する場合（図１４参照）であるが、本発明は実施例に限定されることなく、図１４〜図１８に示すように様々な位置に支持手段を配設することが可能である。例えば図１５のようにＡ側箇所とＦ側箇所に支持手段を設け、バスダクト３０・３０相互間であるＣ側箇所に支持手段を設けない構成にしてもよく、図１６のようにＡ側箇所とＥ側箇所、図１７のようにＤ側箇所とＥ側箇所、図１８のようにＤ側箇所とＧ側箇所に設けるなど適宜である。また、任意階のその一つ上の上階に支持手段を設ける第３実施例のバスダクト支持装置に本実施例のバスダクト支持装置を採用すると好適である。
【００４６】
本発明の第５実施例のバスダクト支持装置を使用することにより、第１実施例が有する有利性に加え、隣り合うバスダクト３０・３０相互間に１以下の支持手段を配設した状態にすることから、バスダクト３０・３０相互間の空間を狭くすることが可能となり、バスダクト３０の布設空間の省スペース化を実現でき、スペースの有効活用を図ることを可能にする。又、第３実施例に本実施例を採用した場合には両実施例の有利性を得ることができる。
【００４７】
次に、本発明の第６実施例のバスダクト支持装置として、第２実施例で使用した支持部２０及び固定具１０を使用して二系統など複数系統並列して垂直布設されるバスダクトを支持する場合について説明する。図１９から図２２は第６実施例に於けるバスダクトと支持手段の配置関係例を示す平面説明図である。
【００４８】
本実施例の支持部２０及び固定具１０は第２実施例の支持部２０及び固定具１０と同一構成であり、隣り合うバスダクト３０・３０相互間に支持部２０及び固定具１０など支持手段が一つだけ配設されるか、或いは支持手段が配設されないバスダクト支持装置である。支持手段の配設位置は、例えば図１９から図２２に示す様々な位置にすることが可能であり、図１９に示すように、図１３のＡ側箇所とＢ側箇所及びＥ側箇所とＦ側箇所に支持手段を配設し、バスダクト３０・３０相互間であるＣ側箇所に配設しない構成とし、その他、図２０に示すようにＢ側箇所とＣ側箇所及びＥ側箇所とＦ側箇所に支持手段を配設し、或いは図２１に示すようにＢ側箇所とＣ側箇所及びＦ側箇所とＧ側箇所に支持手段を配設し、或いは図２２に示すようにＡ側箇所とＤ側箇所及びＥ側箇所とＦ側箇所に支持手段を配設するなど適宜である。
【００４９】
本発明の第６実施例のバスダクト支持装置を使用することにより、第２実施例の有利性に加えて、バスダクト３０・３０相互間の空間を狭くすることが可能となり、バスダクト３０の布設空間の省スペース化が実現でき、スペースの有効活用を図ることが可能となる。また、第４実施例のバスダクト支持装置に本実施例のバスダクト支持装置を採用するとより好適であり、本実施例及び第４実施例の有利性も更に奏することとなる。
【００５０】
以上、本発明のバスダクト支持装置の各実施例について説明したが、本発明は上記実施例に限定されるものではなく、以下のような拡張及び変形を行うことができる。
【００５１】
例えば上記各実施例では、全て同種のバスダクト３０を支持する場合について説明したが、バスダクト自体の構成は如何なるバスダクトでも良く、２線式のバスダクトでも、４線式のバスダクトでも、或いは空気絶縁型バスダクト等でも良い。また、バスダクトのハウジング形状が４側面、５側面、６側面等である場合やバスダクトの平面視形状が円形である場合にも対応することができる。例えば円形のバスダクトハウジングに対して、周囲近傍の一箇所に支持手段を配設する構成、或いは円形のバスダクトハウジングに対して、周囲近傍の一箇所に支持手段を配設すると共に、バスダクトの中心点に対して対称位置以外の場所に他の支持手段を配設することにより対応することができる。
【００５２】
また、弾性材には上記バネ材２６の他にも、耐震性ゴム、パッキン等弾性を有するものは全て含まれ、弾性材の数や位置も同様に上記実施例に限定されるものではない。また、支持部２０、固定具１０、或いはこれらの固定・接続方式に関しても上記実施例に限定されるものではない。また、基台２１は防火処理を施す構造などに対応して様々な構成にすることができ、基台２１の形状や個数は適宜であり、又基台２１を積み重ねて高さを保持する等適宜の構成を採用できる。また、第５及び第６実施例では、複数系統並列して布設したバスダクト３０に関して２系統の場合を説明したが、本発明は３系統以上の複数系統のバスダクト３０の支持に適用することができる。
【００５３】
また、本発明は各実施例の組み合わせにしてもよく、例えば一の任意階で一側箇所に支持手段を配置し、他の任意階で二側箇所に支持手段を配置して支持する構成など、階によって支持手段の配置箇所や配置数を異ならせる構成等を適宜採用できる。また、例えば第２、第４、第６実施例の固定具の基金具の基面をＬ字形に屈曲した一体の基面にするなど、各部の所要箇所を一体化すると、部品点数を極力減らすことが可能になって好適である。
【００５４】
【発明の効果】
本発明のバスダクト支持装置は、高層ビル等の構造物で略垂直方向に布設されるバスダクトを支持するための空間を省スペース化することができると共に、支持手段などその施工を容易に行うことができる効果を奏する。
【００５５】
また、本発明のバスダクト支持装置は、上記効果を維持しながら、高層ビル等に布設したバスダクトを強固且つ確実に支持することが可能であり、長期にわたって安定した電気幹線路を形成することができる。
【００５６】
また、本発明のバスダクト支持装置は、２系統以上の複数系統のバスダクトを垂直方向に並列して布設した場合に、バスダクト相互間の空間を狭くしてバスダクトを支持することが可能であり、バスダクト布設空間の省スペース化が実現でき、スペースの有効活用に役立つという効果を奏する。
【図面の簡単な説明】
【図１】本発明の第１実施例のバスダクト支持装置を使用してバスダクトを支持している状態を示す正面図。
【図２】図１の左側面図。
【図３】図１の平面説明図。
【図４】第１実施例に於けるバスダクトの側箇所を示す平面説明図。
【図５】（ａ）第１実施例に於けるバスダクトと支持手段の配置関係の第１例を示す平面説明図、（ｂ）第１実施例に於けるバスダクトと支持手段の配置関係の第２例を示す平面説明図、（ｃ）第１実施例に於けるバスダクトと支持手段の配置関係の第３例を示す平面説明図、（ｄ）第１実施例に於けるバスダクトと支持手段の配置関係の第４例を示す平面説明図。
【図６】本発明の第２実施例のバスダクト支持装置を使用してバスダクトを支持している状態を示す正面図。
【図７】図６の平面説明図。
【図８】（ａ）第２実施例に於けるバスダクトと支持手段の配置関係の第１例を示す平面説明図、（ｂ）第２実施例に於けるバスダクトと支持手段の配置関係の第２例を示す平面説明図、（ｃ）第２実施例に於けるバスダクトと支持手段の配置関係の第３例を示す平面説明図、（ｄ）第２実施例に於けるバスダクトと支持手段の配置関係の第４例を示す平面説明図。
【図９】（ａ）本発明の第３実施例のバスダクト支持装置に於いて、任意階の支持手段の配設位置を示す平面説明図、（ｂ）同図（ａ）の任意階の一つ上の上階に於ける支持手段の配設位置の第１例を示す平面説明図、（ｃ）同図（ａ）の任意階の一つ上の上階に於ける支持手段の配設位置の第２例を示す平面説明図、（ｄ）同図（ａ）の任意階の一つ上の上階に於ける支持手段の配設位置の第３例を示す平面説明図。
【図１０】（ａ）本発明の第４実施例のバスダクト支持装置に於いて、任意階の支持手段の配設位置を示す平面説明図、（ｂ）同図（ａ）の任意階の一つ上の上階に於ける支持手段の配設位置の第１例を示す平面説明図、（ｃ）同図（ａ）の任意階の一つ上の上階に於ける支持手段の配設位置の第２例を示す平面説明図、（ｄ）同図（ａ）の任意階の一つ上の上階に於ける支持手段の配設位置の第３例を示す平面説明図。
【図１１】本発明の第５実施例のバスダクト支持装置を使用してバスダクトを支持している状態を示す正面図。
【図１２】図１１の平面説明図。
【図１３】第５実施例に於ける２系統のバスダクトの側箇所を示す平面説明図。
【図１４】第５実施例に於ける２系統のバスダクトと支持手段の配置関係の第１例を示す平面説明図。
【図１５】第５実施例に於ける２系統のバスダクトと支持手段の配置関係の第２例を示す平面説明図。
【図１６】第５実施例に於ける２系統のバスダクトと支持手段の配置関係の第３例を示す平面説明図。
【図１７】第５実施例に於ける２系統のバスダクトと支持手段の配置関係の第４例を示す平面説明図。
【図１８】第５実施例に於ける２系統のバスダクトと支持手段の配置関係の第５例を示す平面説明図。
【図１９】第６実施例に於ける２系統のバスダクトと支持手段の配置関係の第１例を示す平面説明図。
【図２０】第６実施例に於ける２系統のバスダクトと支持手段の配置関係の第２例を示す平面説明図。
【図２１】第６実施例に於ける２系統のバスダクトと支持手段の配置関係の第３例を示す平面説明図。
【図２２】第６実施例に於ける２系統のバスダクトと支持手段の配置関係の第４例を示す平面説明図。
【符号の説明】
１０ 固定具
１１ 基金具
１１１ 基面
１１２ 支持片
１１３ 狭持金具
１１６ 屈曲片
１２ 被覆金具
１２１ 被覆側面
１２２ 架橋面
１２３ 固定片
２０ 支持部
２１ 基台
２２ 案内棒
２６ バネ材
３０ バスダクト
３１ 導体
３２ スペーサ
３３ 側板
３３１ 基面
３３２ 第１補強部
３３３ 第２補強部
４０ 床面
【図１】
0004558989.tif 000002
【図２】
0004558989.tif 000003
【図３】
0004558989.tif 000004
【図４】
0004558989.tif 000005
【図５】
0004558989.tif 000006
【図６】
0004558989.tif 000007
【図７】
0004558989.tif 000008
【図８】
0004558989.tif 000009
【図９】
0004558989.tif 000010
【図１０】
0004558989.tif 000011
【図１１】
0004558989.tif 000012
【図１２】
0004558989.tif 000013
【図１３】
0004558989.tif 000014
【図１４】
0004558989.tif 000015
【図１５】
0004558989.tif 000016
【図１６】
0004558989.tif 000017
【図１７】
0004558989.tif 000018
【図１８】
0004558989.tif 000019
【図１９】
0004558989.tif 000020
【図２０】
0004558989.tif 000021
【図２１】
0004558989.tif 000022
【図２２】
0004558989.tif 000023